(57)【要約】      （修正有）【課題】口臭測定に必要な呼気の収納袋であって、複数人の嗅覚による嗅覚測定が効率的に出来る、小出し通気路を備える呼気収納袋の提供である。【解決手段】低価格で製造するために、開口部にチャック（嵌合機能）を備える既製のポリエチレンの袋を利用する。ポリエチレンの袋の開口部に、小サイズ開口３（呼気吹き込み口）と大サイズ開口部２（花の香りなどを含む気体の採り入れ口）の２つに分ける接着閉鎖部分４をつける。さらにこの袋に接着閉鎖部から袋の辺縁方向へ先細となるように接着線５で小出し通気路６を形成する。接着線の先端部における小出し通気路の幅は、指で挟んで通気を閉じることができるサイズとする。【選択図】図１
2004244103.tif 000002
【特許請求の範囲】
【請求項１】
機密性と柔軟性のある合成樹脂シートを使用した袋の構造を次のように構成する。袋の基本形を４辺形とし、３辺を閉じ、残りの１辺の一部を、呼気、気体を吹き込む開口部とする。この開口部は、１カ所に接着閉鎖部を付けることで大サイズ開口部と小サイズ開口部に分ける。開口部は開閉可能な構造とする。呼気を吹き込む開口部は小サイズ開口部で、大サイズ開口部は気体（花の香りを含む気体など）を取り込むときの開口部である。呼気、気体を取り込んだ後、開口部を閉じることで呼気、気体を収納する。この袋体に、収納した呼気、気体を小出しにする小出し通気路を付ける。小出し通気路は接着閉鎖部から袋の辺縁方向へ斜め下方に向け先細となるように、接着線で袋の内面を接着することで形成する。接着線の先端部における小出し通気路の幅は、指で挟んで通気を閉じることができるサイズとする。以上を特徴とする、呼気、気体収納袋。
【発明の詳細な説明】
【０００１】
【発明の属する技術分野】
臭気検査の補助用具である袋の技術分野に属する。呼気収納や香りや臭いを採取収納する袋の構造に関する技術である。
【０００２】
【従来の技術】
ＩＰＣ（Ｂ６５Ｄ  ３７／００）による先行技術調査（１９７０〜２００３年２月まで全対象調査）では、同じ案はなかった。
【０００３】
【発明が解決しようとしている課題】
製造工程が単純で、低価格で提供できる口臭測定に必要な使い捨ての袋であって、複数人の嗅覚による嗅覚測定が効率的に出来る小出し通気機能を備える呼気収納袋の提供が課題である。一般的な歯科医院では高精密の口臭測定器の導入は高価で採算が採れないのであまり使われていない。一般的歯科医院おける口臭のレベル測定は、複数の歯科衛生士の臭覚による測定と精度の低い安価な口臭測定器による測定で行われる。嗅覚による測定は、対面して呼気を嗅ぐ方法となるが、これは歯科衛生士も辛く、嗅がれる患者も辛いことなので、患者の呼気を袋に収納し別室で測定する方法が採られる。この場合、収納した呼気を小出しに取り出せる機能を備えた袋でないと複数人での測定が効率的に出来ない。
【０００４】
【課題を解決するための手段】
低価格で製造するために、開口部に開閉用チャックを備える既製のポリエチレンの４辺形の袋を利用する。この開口部を小サイズ開口部（呼気吹き込み口）と大サイズ開口部（花の香りなどの気体取り込み口）に２分する。そのため開口部の１部を加熱で接着閉鎖する。この袋の内面に接着閉鎖部から接着線で小サイズ開口部に開く小出し通気路を形成する。以上で解決した。
【０００５】
【発明の実施の形態】
本案を図によって説明する。
図１は、４辺形の袋の正面図である。１は、袋本体である。透明なポリエチレンの袋を示す。２と３は、開口部である。４は、接着閉鎖部である。これで大サイズの開口部２、小サイズの開口部３にわける。２つの開口部は、開閉が可能な嵌合構造（チャック）とする。大サイズ開口部である２と小サイズ開口部３は、それぞれ使用する場面が異なる。呼気を吹き込むときは小サイズの開口部３を使用し、花の香りなどを含む気体などを採取、収納する場合には大サイズ開口部２を使用する。呼気を収納する小サイズ開口部３の使用時には大サイズ開口部２は閉じる。（この大サイズ開口部を接着閉鎖したタイプの呼気収納袋を作ることもできる）。大サイズ開口部２を開口して使用する時には小サイズ開口部３を閉じる。５は、袋の内面を接着する接着線である。接着線は開口部の接着閉鎖部４から斜め下方向につけられ小出し通気路６を形成する。７は、接着線５の先端を示す。この先端７と袋の辺縁で形成される小出し通気路６の先端幅８は親指と人差し指で挟み、圧して一時的に閉じることができるサイズとする。
図２は、袋の使用状態を示す。呼気は、小サイズの開口部３から吹き込むが、強く吹き込むと口腔内の生理変化による呼気成分の変化が起きるので、ゆっくり吹き込む。そのため小サイズの開口部３（呼気吹き込み口）は、口を開いて呼気をゆっくり吹き込める大きさとする。９は、左手の指、１０は右手の指である。左右の手の指で呼気吹き込み口である小サイズ開口部３を開く状態を示す。吹き込みが終わったら、１１で示す左の手の親指と、１２で示す左の手の人差し指で、小出し通気路６の先端部８を閉じ、ついで小サイズ開口部３を閉じる。
【０００６】
【発明の効果】
１、既製のポリエチレンの袋を利用して製作できるので、新しく製袋設備を作る必要がない。
２、接着閉鎖部の形成や、小出し通気路を形成する接着線の接着は、袋体が熱で溶けるポリエチレンなので加熱接着できる。したがって接着材が不要である。接着閉鎖部や小出し通気路の形成が容易である。
３、上記１，２のコスト低減要件があるので、設備に投下する費用が少なくて済み、また製造に着手するまでの時間が短くて済む。製品を安価に提供できる。
４、歯科医院にとって衛生管理上、呼気収納袋は使い捨て袋であることが必須条件である、安価で提供できるという使い捨ての要件を満たしている。
【図面の簡単な説明】
【図１】４辺形の袋の正面図
【図２】使用状態
【符号の説明】
１、袋本体
２、大サイズの開口部（花の香りなどの気体取り込み口）
３、小サイズの開口部（呼気吹き込み口）
４、接着閉鎖部
５、接着線
６、小出し通気路
７、接着線の先端
８、小出し通気路の先端幅
９、左手の指
１０、右手の指
１１、左手の親指
１２、左手の人差し指
【図１】
2004244103.tif 000003
【図２】
2004244103.tif 000004
【手続補正書】
【提出日】平成15年5月15日(2003.5.15)
【手続補正１】
【補正対象書類名】明細書
【補正対象項目名】請求項１
【補正方法】変更
【補正の内容】
【請求項１】
気密性と柔軟性のある合成樹脂シートを使用した袋の構造を次のように構成する。袋の基本形を４辺形とし、３辺を閉じ、残りの１辺の一部を、呼気、気体を吹き込む開口部とする。この開口部は、１カ所に接着閉鎖部を付けることで大サイズ開口部と小サイズ開口部に分ける。開口部は開閉可能な構造とする。呼気を吹き込む開口部は小サイズ開口部で、大サイズ開口部は気体（花の香りを含む気体など）を取り込むときの開口部である。呼気、気体を取り込んだ後、開口部を閉じることで呼気、気体を収納する。この袋体に、収納した呼気、気体を小出しにする小出し通気路を付ける。小出し通気路は接着閉鎖部から袋の辺縁方向へ斜め下方に向け先細となるように、接着線で袋の内面を接着することで形成する。接着線の先端部における小出し通気路の幅は、指で挟んで通気を閉じることができるサイズとする。以上を特徴とする、呼気、気体収納袋。
【手続補正２】
【補正対象書類名】明細書
【補正対象項目名】０００１
【補正方法】変更
【補正の内容】
【０００１】
【発明の属する技術分野】
臭気検査の補助用具である袋の技術分野に属する。呼気を採取収納する袋の構造に関する技術である。


【手続補正３】
【補正対象書類名】明細書
【補正対象項目名】０００３
【補正方法】変更
【補正の内容】
【０００３】
【発明が解決しようとしている課題】
製造工程が単純で、低価格で提供できる口臭測定に必要な使い捨ての袋であって、複数人の嗅覚による嗅覚測定が効率的に出来る小出し通気機能を備える呼気収納袋の提供が課題である。一般的な歯科医院では高精密の口臭測定器の導入は高価で採算が採れないのであまり使われていない。一般的歯科医院おける口臭のレベル測定は、複数の歯科衛生士の臭覚による測定で行われる。嗅覚による測定は、対面して呼気を嗅ぐ方法となるが、これは歯科衛生士も辛く、嗅がれる患者も辛いことなので、患者の呼気を袋に収納し別室で測定する方法が採られる。この場合、収納した呼気を小出しに取り出せる機能を備えた袋でないと複数人での測定が効率的に出来ない。


【手続補正４】
【補正対象書類名】明細書
【補正対象項目名】０００４
【補正方法】変更
【補正の内容】
【０００４】
【課題を解決するための手段】
低価格で製造するために、開口部に開閉用チャックを備える既製のポリエチレンの４辺形の袋を利用する。この開口部を小サイズ開口部（呼気吹き込み口）と大サイズ開口部に２分する。そのため開口部の１部を加熱で接着閉鎖する。この袋の内面に接着閉鎖部から接着線で小サイズ開口部に開く小出し通気路を形成する。以上で解決した。


【手続補正５】
【補正対象書類名】明細書
【補正対象項目名】符号の説明
【補正方法】変更
【補正の内容】
【符号の説明】
１、袋本体
２、大サイズの開口部
３、小サイズの開口部（呼気吹き込み口）
４、接着閉鎖部
５、接着線
６、小出し通気路
７、接着線の先端
８、小出し通気路の先端幅
９、左手の指
１０、右手の指
１１、左手の親指
１２、左手の人差し指